(57)【要約】
　【課題】試験対象としている階だけで作業を遂行することができる、作業性に優れた排水管の漏洩試験用治具を提供する。
　【解決手段】集合管の縦管受口２１ａに嵌合され、下部が開放するとともに上部が閉塞部３によって閉塞している中空円筒形の本体２と、閉塞部３の外周に形成され、縦管受口２１ａの上端に係合するフランジ部４と、閉塞部３に装着され、本体２内部に加圧空気を供給するための、バルブ７を有する継手管８と、閉塞部３に装着され、本体２内部の圧力を計測するための圧力計９とを備えてなる。
　【選択図】　図２
0003099815.tif 000002
【実用新案登録請求の範囲】
【請求項１】
　上下階の縦管が各階に設置される集合管によって接続され、各階において前記集合管から分岐管が分岐している配管構造を有する排水管の漏洩試験用治具であって、
　前記集合管の縦管受口に嵌合され、下部が開放するとともに上部が閉塞部によって閉塞している中空円筒形の本体と、
　前記閉塞部の外周に形成され、前記縦管受口の上端に係合するフランジ部と、
　前記閉塞部に装着され、本体内部に加圧空気を供給するための、バルブを有する継手管と、
　前記閉塞部に装着され、本体内部の圧力を計測するための圧力計と
　を備えてなる排水管の漏洩試験用治具。
【請求項２】
　前記本体及び前記閉塞部は透明の合成樹脂材料で作られていることを特徴とする請求項１記載の排水管の漏洩試験用治具。
【請求項３】
　前記閉塞部の下面には、ロープを引っ掛けるための掛止具が設けられていることを特徴とする請求項１又は２記載の排水管の漏洩試験用治具。
【請求項４】
　前記本体外周にはパッキンが設けられていることを特徴とする請求項１，２又は３記載の排水管の漏洩試験用治具。
【考案の詳細な説明】
【技術分野】
【０００１】
　この考案は、排水管の漏洩試験用治具に関し、さらに詳細には、多層階からなる建築物において、その施工中に実施され、各階の排水管の漏洩箇所の有無を検査する漏洩試験に使用する治具に関する。
【背景技術】
【０００２】
　多層階からなる建築物において、排水管の漏洩を検査するための方法として、従来、満水試験が一般に行われている。この満水試験は、縦管の一部を満水継手によって密閉するとともに、試験対象としている階において集合管から分岐する分岐管に閉鎖プラグを取り付けて密閉し、縦管の上部から水を注入して漏水の有無を検査する方法である。
【０００３】
　しかしながら、この満水試験は、各階に試験のためにだけしか使用されない満水継手を設けなければならず、工事費用アップの要因となっている。また、満水状態とするのに多くの時間と労力とを要する。このため、満水試験に代えて、密閉された区間の管内に加圧空気を注入して、その圧力変化によって漏洩の有無を検査する方法も提案されている（特許文献１参照）。しかしながら、この従来方法は集合管を介して接続される上下階の縦管のそれぞれの一部（計２箇所）を密閉するという手法を採っているため、次のような問題がある。
【０００４】
　すなわち、特許文献１に開示の方法においては、縦管を密閉する２つの閉塞具は紐状物で連結され、これら２つの閉塞具は試験対象としている階の上階から縦管内に吊り降ろされる。また、これら２つの閉塞具はいずれも加圧流体を供給することにより膨張して、縦管を密閉するものであるが、その流体源も上階に設置される。このため、試験対象としている階と、その上階とで連係しながら作業を遂行しなければならず、作業性が極めて悪い。
【特許文献１】特開平２−２１２７３３号公報
【考案の開示】
【考案が解決しようとする課題】
【０００５】
　この考案は上記のような技術的背景に基づいてなされたものであって、次の目的を達成するものである。
この考案の目的は、試験対象としている階だけで作業を遂行することができる、作業性に優れた排水管の漏洩試験用治具を提供することにある。
【課題を解決するための手段】
【０００６】
　この考案は上記課題を達成するために、次のような手段を採用している。
すなわち、この考案は、上下階の縦管が各階に設置される集合管によって接続され、各階において前記集合管から分岐管が分岐している配管構造を有する排水管の漏洩試験用治具であって、
前記集合管の縦管受口に嵌合され、下部が開放するとともに上部が閉塞部によって閉塞している中空円筒形の本体と、
前記閉塞部の外周に形成され、前記縦管受口の上端に係合するフランジ部と、
前記閉塞部に装着され、本体内部に加圧空気を供給するための、バルブを有する継手管と、
前記閉塞部に装着され、本体内部の圧力を計測するための圧力計と
を備えてなる排水管の漏洩試験用治具にある。
【０００７】
　より具体的には、前記本体及び前記閉塞部は内部が見えるように、透明の合成樹脂材料で作られている。また、前記閉塞部の下面には、ロープを引っ掛けるための掛止具が設けられている。ここで、ロープとは、集合管の下方において縦管内を閉塞するための膨張性プラグを懸吊する安全ロープのことである。
【０００８】
　集合管の受口内周にはこれに嵌合される縦管との密着を図るために、パッキンが設けられている型式のものがある。漏洩試験の際には、このパッキンを利用して治具本体と集合管との密着を図ることができる。パッキンの無い型式の集合管の場合、治具の本体外周にパッキンを設ける。
【考案の効果】
【０００９】
　この考案による治具は、管内を密閉すべく、上下階の縦管どうしを接続する集合管の受口に嵌合されて使用されるものであるので、漏洩試験対象としている階だけで作業を遂行することができ、したがって作業性が向上し、施工時間の短縮及び施工コストの低減を図ることができる。また、治具には、加圧空気の供給源に接続するための継手管、圧力計が設けられているので、内部圧力を確認しながら加圧空気の供給を円滑に行うことができる。
【考案を実施するための最良の形態】
【００１０】
　図１はこの考案の実施形態を示す斜視図、図２は同実施形態の鉛直方向断面図である。治具１は中空円筒形の本体２を有している。本体２は下部が開放し、上部が閉塞部３によって閉塞している。この閉塞部３の外周にはフランジ部４が形成されている。治具１を構成する本体２及び閉塞部３は、内部が目視できるように透明の合成樹脂、例えば塩化ビニル樹脂で作られている。
【００１１】
　閉塞部３には２つのネジ孔５，６が貫通して設けられている。閉塞部３の上面側にはバルブ７を有する継手管８及び圧力計９が設けられ、継手管８は一方のネジ孔５に装着されている。他方のネジ孔６には圧力計９の取付け管１０が装着されている。さらに、閉塞部３の下面には後述する安全ロープ類を引っ掛けるための掛止具である、ナスカン１１が設けられている。
【００１２】
　次に、上記治具１を使用した漏洩試験方法について説明する。図３は漏洩試験方法の一例を示す概略説明図である。図３に示すように、多層階の建築物においては各階の床スラブ２０を貫通して集合管２１が設置され、この集合管２１を介して上下階の縦管（下階の縦管を符号２２で示す）が接続される。また、集合管２１からは分岐管２３が分岐し、この分岐管からさらに、図示しないが、トイレ、台所、洗面所等に通ずる複数の横枝管が分岐している。
【００１３】
　漏洩試験を実施するに際しては、図３（ａ）に示すように、エアホース２４及び安全ロープ２５に接続された膨張性プラグ２６を集合管２１の縦管受口２１ａから下階の縦管内に吊り降ろす。そして、図３（ｂ）に示すように、プラグ２６が所定位置に到達したら、エアホース２４にエアポンプ２７（図面には足踏み式のものが示されている）を接続して、プラグ２６を膨張させ、縦管２２の管壁に密着・固定させる。
【００１４】
　次に、図３（ｃ）に示すように、余分な長さのエアホース２４及び安全ロープ２５を縦管内に収納し、安全ロープ２５の先端を治具１のナスカン１１に引っ掛ける。そして、その状態で、治具１の本体２を集合管の縦管受口２１ａに嵌合させる。図２に示すように、この実施形態で示されている集合管の縦管受口２１ａには、上階の縦管とのシール性を確保するためにパッキン３０が設けられている。この実施形態による治具１の場合、このパッキン３０によって縦管受口２１ａとの密着を図ることができる。
【００１５】
　次に、図３（ｄ）に示すように、試験中に加圧空気によって治具１が集合管２１から抜け出さないように、クランプ装置３１によって治具１を集合管２１に完全に固定する。また、図示しないが、分岐管２３から分岐する各横枝管に閉塞用プラグを取り付ける。
【００１６】
　以上のようにして、試験対象とする区間を密閉したら、図３（ｅ）に示すように、継手管８にエアポンプ２７のホース３２を接続し、バルブ７を開いて密閉された区間の管内に加圧空気を注入し、一定圧力（ゲージ圧で 0.035ＭＰａ程度）になるまで加圧する。そして、バルブ７を閉じて一定時間加圧状態を保持し、圧力計９により減圧の有無、すなわち漏洩の有無を確認する。漏洩箇所を特定するには、特許文献１に記載のように、管の外周に石鹸液を塗布してもよいし、あるいは、加圧空気に煙や臭気を混合するようにしてもよい。
【００１７】
　上記実施形態は、縦管受口２１ａにパッキン３０が設けられている型式の集合管２１を利用する治具である。図４は治具の別の実施形態を示し、この実施形態は、縦管受口２１ａにパッキンが無い型式の集合管２１を利用する場合であり、この場合、治具１の本体２の外周にパッキン３３が設けられる。なお、この型式の集合管は受口２１ａの先端にボルト・ナット３４による接合フランジ３５を有しており、この機構を利用して治具１が集合管に固定される。このため、治具１のフランジ部４にはボルトの通し孔３６が設けられている。
【００１８】
　なお、上記試験方法は例示にすぎず、これ以外の態様を採ることもできる。すなわち、上記の例では試験対象とする階の集合管に治具を嵌合させているが、試験対象とする階よりも上階の集合管に治具を嵌合させて試験をすることも可能である。
【図面の簡単な説明】
【００１９】
【図１】この考案の実施形態を示す斜視図である。
【図２】同実施形態の鉛直方向断面図である。
【図３】漏洩試験方法の一例を示す概略説明図である。
【図４】別の実施形態を示す鉛直方向断面図である。
【符号の説明】
【００２０】
　　１　　　漏洩試験用治具
　　２　　　本体
　　３　　　閉塞部
　　４　　　フランジ部
　　５，６　　　ネジ孔
　　７　　　バルブ
　　８　　　継手管
　　９　　　圧力計
　１０　　　取付け管
　１１　　　ナスカン
　２０　　　床スラブ
　２１　　　集合管
　２１ａ　　縦管受口
　２３　　　分岐管
　２６　　　膨張性プラグ
　２７　　　エアポンプ
　３０　　　パッキン
　３１　　　クランプ装置
【図１】
0003099815.tif 000003
【図２】
0003099815.tif 000004
【図３】
0003099815.tif 000005
【図４】
0003099815.tif 000006